(57)【要約】【課題】  シリンダ錠の扉外面における突出量が小さくて見栄えも良い新規な装着機構において、シリンダ錠を確実にかつ強固に錠箱に固定することができる固定機構を提供する。【解決手段】  シリンダ錠とサムターンブロックとを同軸かつ一体的に連結した錠前ユニットを、シリンダ錠を先にして、アイドル制御筒１７の内筒部を通して扉に装着する装着機構において、錠箱内における図示しないシリンダ錠の外筒に垂直な係止溝を形成し、一方、この係止溝の近傍に、板材を折曲して構成したシリンダーストッパー２１を垂直な回動軸の回りを回動可能に支承し、他方、錠箱内に、水平方向に延在し、長さ方向に案内された操作板２５を配設すると共に、この操作板２５に平行な固定ねじ２９を錠箱のフロント板に螺着し、この固定ねじ２９を操作板２５を介してシリンダストッパー２１に連結する。【選択図】  図８
2008308965.tif 000002
【特許請求の範囲】
【請求項１】
シリンダ錠とサムターンブロックとを同軸かつ一体的に連結した錠前ユニットを、シリンダ錠を先にして、扉内面、錠箱及び扉外面を貫通する態様で扉に装着し、以て、扉外面におけるシリンダ錠の突出量を小さくした錠前において、錠箱内におけるシリンダ錠の外筒の外周面に垂直な係止溝を形成し、一方、この係止溝の近傍に、板材を折曲げて一方の側端縁に少なくとも１個の脚片を、他方の側端縁に係止端縁及び操作片を夫々形成したシリンダストッパーを配設し、上記脚片を錠箱の側板に形成された支持穴に遊嵌させてシリンダストッパーを垂直な回動軸の回りを回動可能に支承し、他方、錠箱内に、水平方向に延在し、フロント板に垂直な方向に移動可能に案内された操作板を配設すると共に、この操作板に平行な固定ねじを錠箱のフロント板に螺着し、この固定ねじを操作板を介してシリンダストッパーの操作片に連結したことを特徴とするシリンダ錠の装着機構。
【発明の詳細な説明】
【技術分野】
【０００１】
この発明は、錠箱に対するシリンダ錠の固定機構（以下単に固定機構という）に係り、特に、シリンダ錠の扉外面における突出量が小さくて見栄えが良く、しかも安全性も向上させることができる新規な装着機構において、シリンダ錠を確実にかつ強固に錠箱に固定することができる固定機構に関する。
【背景技術】
【０００２】
本出願人は、先に、後記特許文献１を以て、新規なシリンダ錠の装着機構を提案した。
【０００３】
この装着機構は、シリンダ錠の内端とサムターンブロックとの間に所定の間隙を保ち、かつこれらを同軸かつ一体的に連結した錠前ユニットと、全体の形状がコ字形で、一対の平行板部を連結する部分の中央に、シリンダ錠内端のテールピースと係合するダルマ形のクラッチ孔と、サムターン軸と係合する十字形のサムターン孔とを所定の間隔で連設してなるカプラーを形成した作動アームとを有し、上記カプラーをシリンダ錠の内端とサムターンブロックの間の間隙部に挿入し、一対の平行板部をシリンダ錠の外筒の母線に沿わせる態様で、作動アームをシリンダ錠の外筒内端部に、その中心軸線の回りを回動可能に装着し、一方、錠箱内に上記作動アームの先端部と係合する切欠を形成した錠止機構制御筒を、錠箱の側板に垂直な中心軸線回りを回動可能に配設し、他方、シリンダ錠を先にして、扉内面、上記デッドボルト制御筒の内筒部、錠箱及び扉外面を貫通する態様で、錠前ユニットに扉を貫通させると共に錠前ユニットをその軸線方向において拘束し、扉外面に少し突出したシリンダ錠の外端部に化粧リングを装着したことを特徴とするものである（請求項１に記載されたものを代表させる）。
【特許文献１】特願２００７−１５８０２３
【発明の開示】
【発明が解決しようとする課題】
【０００４】
この発明は、上記特許文献１に記載されたシリンダ錠の装着機構に係る発明に内在するものであるから、これを後者の発明から分割して取り出し、独立した発明として特許法上の保護を求めることを目的としている。
【課題を解決するための手段】
【０００５】
上記の目的を達成するため、請求項１に記載の発明は、シリンダ錠とサムターンブロックとを同軸かつ一体的に連結した錠前ユニットを、シリンダ錠を先にして、扉内面、錠箱及び扉外面を貫通する態様で扉に装着し、以て、扉外面におけるシリンダ錠の突出量を小さくした錠前において、錠箱内におけるシリンダ錠の外筒の外周面に垂直な係止溝を形成し、一方、この係止溝の近傍に、板材を折曲げて一方の側端縁に少なくとも１個の脚片を、他方の側端縁に係止端縁及び操作片を夫々形成したシリンダストッパーを配設し、上記脚片を錠箱の側板に形成された支持穴に遊嵌させてシリンダストッパーを垂直な回動軸の回りを回動可能に支承し、他方、錠箱内に、水平方向に延在し、フロント板に垂直な方向に移動可能に案内された操作板を配設すると共に、この操作板に平行な固定ねじを錠箱のフロント板に螺着し、この固定ねじを操作板を介してシリンダストッパーの操作片に連結したことを特徴とする。
【発明の効果】
【０００６】
上記のように構成された請求項１に記載の発明は、開扉時固定ねじをドライバーで回すことにより、操作板を介してシリンダストッパーの係止端縁をシリンダ錠外筒の係止溝に係合させる方向に回動させることができ、このようにしてシリンダ錠をシリンダストッパーを介して錠箱に固定できる。
【０００７】
シリンダ錠が錠箱に固定された状態において、シリンダ錠を室内側に押動して錠前ユニットを錠箱及び扉から取り外そうとする暴力的な破錠に際し、シリンダストッパーに印加される外力はシリンダストッパーを座屈させようとする方向に作用するが、座屈応力は外力が作用する方向のシリンダストッパーの長さに反比例し、この寸法が小さいことから、この発明による固定機構は暴力的な破錠に充分対抗し得る、等種々の効果を奏する。
【発明を実施するための最良の形態】
【０００８】
錠箱内におけるシリンダ錠の外筒の外周面に垂直な係止溝を形成し、一方、この係止溝の近傍に、板材を折曲げて一方の側端縁に少なくとも１個の脚片を、他方の側端縁に係止端縁及び操作片を夫々形成したシリンダストッパーを配設し、このシリンダストッパーを操作板を介してフロント板側から操作してシリンダストッパーの係止端縁と係止溝とを係合させるようにしたので、簡単な機構でシリンダ錠を確りと錠箱に固定することができる。
【実施例１】
【０００９】
以下、図面を参照してこの発明の実施例を説明する。
なお、本出願に係る固定機構は、前記特許文献１に記載された装着機構に係る技術的思想の一部をなす技術的思想であるが、本願発明の要旨を更に明瞭にするため、装着機構の全体について一応説明する。
【００１０】
図１において符号１は錠前ユニットを示し、この錠前ユニット１は、図２に示すシリンダ錠２とサムターンブロック３との間に所定の間隙を保って、これらを同軸かつ一体的に連結したものである。
【００１１】
なお、上記間隙を保つため、サムターンブロックの底面４に肉厚の連結リング５が一体に結合されており、この連結リング５、及びシリンダ錠２の外面の内端に突設された連結ブロック６、６を貫通する連結ピン７、７により、シリンダ錠２とサムターンブロック３とは一体的に結合され、錠前ユニット１を構成する。
【００１２】
なお、上記連結ブロック６、６は後述するアームのストッパとなっているが、このことはこの発明の必須の構成ではない。
【００１３】
また、図１及び図２において符号８は化粧リングを示し、この化粧リングについては後に説明する。
【００１４】
上記シリンダ錠２とサムターンブロック３との間には、図３に示すシリンダアーム１２と、図４に示すサムターンアーム１４とが図において上下に重合した状態で挿設されている。
【００１５】
上記シリンダアーム１２は、全体の形状がコ字形で、一対の平行板部を連結する部分の中央に、シリンダ錠内端のテールピース９（図１３参照）と係合するダルマ形のクラッチ孔１１を形成した枠体であり、一方シリンダアーム１２は、全体の形状がコ字形で、上記シリンダアーム１２の平行板部の外側に重合できる間隔を保つ一対の平行板部を有し、これら一対の平行板部を連結する部分の中央に、サムターン軸と係合する十字形のサムターン孔１３を形成した枠体である。
【００１６】
上記クラッチ孔１１及びサムターン孔１３が形成されている部分は浅いカップ状になっているので、これらシリンダアーム１２及びサムターンアーム１４は前記通常のダルマと同様に、クラッチ孔１１とサムターン孔１３との間に所定の間隙が保たれ、これらに係合するテールピース９及びサムターン軸１５（図２参照）は相互に干渉しない（図示せず）。
【００１７】
上記した構成のシリンダアーム１２及びサムターンアーム１４は、図１及び図２に示すように、シリンダアーム１２（図３）の上にサムターンアーム１４（図４）を重ねるようにして、その中央部をシリンダ錠の内端とサムターンブロックの間に挿入するようにし、かつ、それらの平行板部を相対回動可能に、また、シリンダ錠の外筒の母線に沿わせた状態で、シリンダ錠の外筒内端部に、その中心軸線の回りを回動可能に装着されている。
【００１８】
上記した構成のシリンダアーム１２は、その平行板部の先端を切欠１６（図５参照）に係合させるようにして、アイドル制御筒１７に連結されている。
【００１９】
同様にして、上記サムターンアーム１４は、その一対の平行板部の先端を切欠１６、１６に係合させるようにして、錠止機構制御筒１８（図６参照）に連結されている。
【００２０】
また、上記アイドル及び錠止機構制御筒１７、１８は、夫々一方の開口端縁に形成されたフランジ部に付番しない歯車が刻設されており、アイドル制御筒１７は、その歯車が形成されていない開口端（図５で下方の開口端）を錠止機構制御筒１８の歯車が形成されている開口端（図６で上方の開口端）に挿入するようにして、相互に回動可能に嵌合している。
【００２１】
そして、上記アイドル及び錠止機構制御筒１７、１８は、相互に嵌合した状態で、図７に示すように、錠箱１９に回動可能に支承されている。
【００２２】
なお、上記シリンダーアーム１２及びサムターンアーム１４を切欠１６に係合させるには、図１に示すように連結ピン７、７を介して一体的に結合されたシリンダ錠２とサムターンブロック３よりなる錠前ユニット１を、化粧リング８を外した状態で、シリンダ錠を先にして、かつ室内側から、アイドル制御筒１７の内筒部（図７参照）に差し入れる。
【００２３】
そして、錠前ユニット１が錠箱から抜け出てしまうことを防止するため、図８に示すように、シリンダストッパー２１の係止端縁をシリンダ錠外筒のの係止溝２２（図１参照）に挿入して固定する。
【００２４】
なお、錠前ユニット１を扉の内面側から錠箱を貫通させて扉に装着したとき、扉外面に突出するシリンダ錠の前端に化粧リング８（図２参照）を装着するには、例えばシリンダ錠の前端部外周面に雄ねじを形成し、これに雌ねじを刻設した化粧リングを捩じ込む。
【００２５】
上記シリンダストッパー２１は、図９に示すように、横断面が略く字形になるように折曲された厚板材で、図９における下端縁に突設された一対の客片２３、２３を錠箱１９の側板に形成された図示しない支持穴に遊嵌させて、図８に示すように垂直な回動軸の回りを回動可能に支承されている。
【００２６】
また、シリンダーストッパー２１の上端縁は、二股に切り分けられて上記係止端縁２４と操作片２５とが形成されている。
【００２７】
一方、錠箱１９の上端部には、水平方向に延在し、フロント板２７に垂直な方向に移動可能に案内された操作板２６が配設されており、その内端に形成された第１係合切欠２７（図１０参照）は上記操作片２５と係合している。
【００２８】
そして、操作板２６の外端に形成されたＵ字形の第２係合切欠２８は、図１１に示すような固定ねじ２９、すなわち、一端にドライバの先端と係合する十字穴を形成し、フロント板２７のねじ穴と螺合する固定ねじ、の他端の溝部と係合している。
【００２９】
したがって、固定ねじ２９を錠箱内に押込んで固定シリンダストッパー２１の係止端縁２４をシリンダ錠の外筒の移動軌跡外に移動させ、錠前ユニットを錠箱１９内に押込んだ後固定ねじ２９を外側に移動させてシリンダーストッパーの係止端縁２４を係止溝２２（図１参照）に係合させれば、錠前ユニット１はその軸線方向の動きを拘束された状態で錠箱１９に確りと装着される。
【００３０】
なお、このとき、図１に示すようにサムターンブロック３に突設された係合突起３１を、図７に示すように錠箱外面の室内側に形成された凹陥部３２に係合させることにより、錠前ユニット１の回り止めを施すことができる。
【００３１】
他方、前記アイドル及び錠止機構制御筒１７、１８の歯車部は、図１２に示すように錠箱１９に装着された状態において、相互に所定の関係角度を保って、図示８に示す信号伝達歯車２１に共通に噛み合っている。
【００３２】
したがって、上記アイドル及び錠止機構制御筒１７、１８の歯車部が共通に信号伝達歯車２１と噛み合っているときには、アイドル及び錠止機構制御筒１７、１８は、信号伝達歯車２１を介して一体的に、すなわち、回動方向において相互に拘束された状態で回動する。
【００３３】
また、錠止機構制御筒１８の外筒部において半径方向に突出する駆動アーム３３（図６参照）は、図１２に示すように、デッドボルト３４の上端縁内端部に形成された従動切欠３５と係合しており、例えば駆動アーム３３が図１２で９０度の角度範囲で揺動することにより、デッドボルト３４を引っ込めて解錠したり、図１２に示すようにデッドボルト３４をフロント板２７から突出させて施錠したりする。
【００３４】
また、図示の機構では、図５及び図６に示すように、アイドル制御筒１７の歯車の方が錠止機構制御筒１８のそれよりも歯数が多くなっている。
【００３５】
そのため、例えばシリンダ錠２を合鍵で施解錠するとき、９０度迄はアイドル及び錠止機構制御筒１７、１８が一体的に回転するが、９０度を越えると、アイドル制御筒１７のみが更に回動して信号伝達歯車２１を回すことになり、信号伝達歯車２１の余分の回動を利用して、図示しない信号発生器が例えば合鍵で施解錠したことを示す信号を電気錠システムの制御装置に送給する。
【００３６】
なお、図１２に示すように、錠止機構制御筒の駆動アーム３３には思案ばね装置３６の一端がリンク結合されており、思案ばね装置の他端は制御レバー３７にリンク結合されていて、錠止機構制御筒１８の回動により制御レバー３７も揺動するが、その制御レバー３７の機能はこの発明の要旨ではないので、更に詳細な説明は省略する。
【実施例２】
【００３７】
図１３は装着機構の他の実施例の要部を示し、この装着機構は、要するに、図１乃至図１２に示す実施例１において、シリンダアーム１１及びサムターンアーム１４の平行板部を例えばスポット溶接により一体に結合し、その平行板部の先端を錠止機構制御筒１８に連結すると共に、アイドル制御筒を省略したものである。
【００３８】
この実施例は、アイドル制御筒の余分の回動を利用して信号を取ることはできないが、通常の錠止機構と同じ機能を有する上、シリンダ錠の扉外面からの突出量を小さくすることができる。
【図面の簡単な説明】
【００３９】
【図１】錠前ユニットの外観斜視図。
【図２】錠前ユニットの構成部材を展開して示す外観斜視図。
【図３】シリンダアームの外観斜視図。
【図４】サムターンアームの外観斜視図。
【図５】アイドル制御筒の外観斜視図。
【図６】錠止機構制御筒の外観斜視図。
【図７】室内側から見た錠箱の外観斜視図。
【図８】側板を取り外した錠箱を室外側から見た外観斜視図。
【図９】シリンダストッパーの外観斜視図。
【図１０】操作板の外観斜視図。
【図１１】固定ねじの縦断面図。
【図１２】側板を取り外して示す錠箱の側面図。
【図１３】この発明の第２実施例を示す錠箱の外観斜視図。
【符号の説明】
【００４０】
１  錠前ユニット
２  シリンダ錠
３  サムターンブロック
４  底面
５  連結リング
６  連結ブロック
７  化粧リング
８  化粧リング
９  テールピース
１１  クラッチ孔
１２  シリンダアーム
１３  サムターン孔
１４  サムターンアーム
１５  サムターン軸
１６  切欠
１７  アイドル制御筒
１８  錠止機構制御筒
１９  錠箱
２１  シリンダストッパー
２２  係止溝
２４  係止端縁
２７  フロント板
２９  固定ねじ
３３  駆動アーム
３４  デッドボルト
３５  従動切欠
【図１】
2008308965.tif 000003
【図２】
2008308965.tif 000004
【図３】
2008308965.tif 000005
【図４】
2008308965.tif 000006
【図５】
2008308965.tif 000007
【図６】
2008308965.tif 000008
【図７】
2008308965.tif 000009
【図８】
2008308965.tif 000010
【図９】
2008308965.tif 000011
【図１０】
2008308965.tif 000012
【図１１】
2008308965.tif 000013
【図１２】
2008308965.tif 000014
【図１３】
2008308965.tif 000015